【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
画像読取装置であって、
原稿の画像を読み取る読取手段と、
原稿が載置される原稿トレイと、
前記原稿トレイに載置された前記原稿を前記読取手段が前記原稿を読み取る読取位置へ搬送する搬送手段と、
前記搬送手段により前記原稿が搬送される前に前記原稿トレイに載置された前記原稿の搬送方向における長さを取得する原稿長取得手段と、
前記原稿トレイと前記読取位置との間に設けられ、前記搬送手段により搬送されている前記原稿を検出すると第一の状態をとり、前記原稿を検出しないと第二の状態をとる原稿センサと、
前記原稿センサが前記第一の状態から前記第二の状態へ変化した時からの前記原稿の第一の搬送距離を測定する第一の距離測定手段と、
前記原稿センサが前記第一の状態から前記第二の状態へ変化する前に前記原稿センサが前記第二の状態から前記第一の状態へ変化した時からの前記原稿の第二の搬送距離を測定する第二の距離測定手段と、
前記搬送手段を制御する制御手段と、
を有し、
前記制御手段は、
前記原稿センサが前記第一の状態から前記第二の状態へ変化した後で前記第一の搬送距離が第一の距離に達する前に、前記原稿センサが前記第二の状態のまま前記第二の搬送距離が第二の距離に達した時に前記原稿トレイに次原稿が有る場合に前記搬送手段により前記次原稿の搬送を開始させ、前記第二の距離は、前記原稿長取得手段により取得された前記原稿の前記長さにマージンを加算した長さであり、前記第一の距離は、前記原稿に設けられたパンチ穴のサイズよりも長く、複数の原稿が搬送される間隔よりも短く、
前記次原稿の搬送が開始された後、前記第一の搬送距離が前記第一の距離に達する前に前記原稿センサが前記第二の状態から前記第一の状態へ変化すると前記搬送手段による前記次原稿の搬送を中断させ、その後、再び前記原稿センサが前記第一の状態から前記第二の状態へ変化した後に前記第一の搬送距離が前記第一の距離に達すると前記搬送手段により前記次原稿の搬送を再開させるように前記搬送手段を制御することを特徴とする画像読取装置。
【請求項２】
前記制御手段は、前記第二の搬送距離が前記第二の距離に達する前に、前記第一の搬送距離が前記第一の距離に達した時に前記原稿トレイに次原稿が有る場合に前記搬送手段により前記次の原稿の搬送を開始するように前記搬送手段を制御することを特徴とする請求項１に記載の画像読取装置。
【請求項３】
前記第一の距離を記憶するメモリを更に有することを特徴とする請求項１又は２に記載の画像読取装置。
【請求項４】
前記原稿センサが前記第一の状態にある時に、前記原稿センサは、ハイレベルの電圧または電流の信号を出力し、
前記原稿センサが前記第二の状態にある時に、前記原稿センサは、ローレベルの電圧または電流の信号を出力することを特徴とする請求項１乃至３のいずれか一項に記載の画像読取装置。
【請求項５】
画像読取装置であって、
原稿の画像を読み取る読取手段と、
原稿が載置される原稿トレイと、
前記原稿トレイに載置された前記原稿を前記読取手段が前記原稿を読み取る読取位置へ搬送する搬送手段と、
前記搬送手段により前記原稿が搬送される前に前記原稿トレイに載置された前記原稿の搬送方向における長さを取得する原稿長取得手段と、
前記原稿トレイと前記読取位置との間に設けられ、前記搬送手段により搬送されている前記原稿を検出すると第一の状態をとり、前記原稿を検出しないと第二の状態をとる第一の原稿センサと、
前記原稿トレイと前記読取位置との間で前記原稿の前記搬送方向において前記第一の原稿センサの下流に設けられ、前記搬送手段により搬送されている前記原稿を検出すると第一の状態をとり、前記原稿を検出しないと第二の状態をとる第二の原稿センサと、
前記第一の原稿センサが前記第一の状態から前記第二の状態へ変化した時からの前記原稿の第一の搬送距離を測定する第一の距離測定手段と、
前記第一の原稿センサが前記第一の状態から前記第二の状態へ変化する前に前記第二の原稿センサが前記第二の状態から前記第一の状態へ変化した時からの前記原稿の第二の搬送距離を測定する第二の距離測定手段と、
前記搬送手段を制御する制御手段と、
を有し、
前記制御手段は、
前記第一の原稿センサが前記第一の状態から前記第二の状態へ変化した後で前記第一の搬送距離が第一の距離に達する前に、前記第一の原稿センサが前記第二の状態のまま前記第二の搬送距離が第二の距離に達した時に前記原稿トレイに次原稿が有る場合に前記搬送手段により前記次原稿の搬送を開始させ、前記第二の距離は、前記原稿長取得手段により取得された前記原稿の前記長さにマージンを加算した長さであり、前記第一の距離は、前記原稿に設けられたパンチ穴のサイズよりも長く、複数の原稿が搬送される間隔よりも短く、
前記次原稿の搬送が開始された後、前記第一の搬送距離が前記第一の距離に達する前に前記第一の原稿センサが前記第二の状態から前記第一の状態へ変化すると前記搬送手段による前記次原稿の搬送を停止させ、その後、再び前記原稿センサが前記第一の状態から前記第二の状態へ変化した後に前記第一の搬送距離が前記第一の距離に達すると前記搬送手段により前記次原稿の搬送を再開させるように前記搬送手段を制御することを特徴とする画像読取装置。
【請求項６】
前記第一の距離を記憶するメモリを更に有することを特徴とする請求項５に記載の画像読取装置。
【請求項７】
前記第一の原稿センサまたは前記第二の原稿センサが前記第一の状態にある時に、前記第一の原稿センサまたは前記第二の原稿センサは、ハイレベルの電圧または電流の信号を出力し、
前記第一の原稿センサまたは前記第二の原稿センサが前記第二の状態にある時に、前記第一の原稿センサまたは前記第二の原稿センサは、ローレベルの電圧または電流の信号を出力することを特徴とする請求項５又は６に記載の画像読取装置。
【請求項８】
前記原稿の斜行を補正するレジストレーションローラ対を更に有し、
前記第二の原稿センサは、前記搬送方向において前記レジストレーションローラ対の下流に設けられていることを特徴とする請求項５乃至７のいずれか一項に記載の画像読取装置。
【請求項９】
画像読取装置であって、
原稿の画像を読み取る読取手段と、
原稿が載置される原稿トレイと、
前記原稿トレイに載置された前記原稿を前記読取手段が前記原稿を読み取る読取位置へ搬送する搬送手段と、
前記搬送手段により前記原稿が搬送される前に前記原稿トレイに載置された前記原稿の搬送方向における長さを取得する原稿長取得手段と、
前記原稿トレイと前記読取位置との間に設けられ、前記搬送手段により搬送されている前記原稿を検出すると第一の状態をとり、前記原稿を検出しないと第二の状態をとる原稿センサと、
前記原稿センサが前記第一の状態から前記第二の状態へ変化した時からの前記原稿の第一の搬送距離を測定する第一の距離測定手段と、
前記原稿センサが前記第一の状態から前記第二の状態へ変化する前に前記原稿センサが前記第二の状態から前記第一の状態へ変化した時からの前記原稿の第二の搬送距離を測定する第二の距離測定手段と、
前記搬送手段を制御する制御手段と、
を有し、
前記制御手段は、
前記原稿センサが前記第一の状態から前記第二の状態へ変化する前に前記第二の搬送距離が第二の距離に達し且つその後に前記原稿センサが前記第一の状態から前記第二の状態へ変化した場合に前記搬送手段により次原稿の搬送を開始させ、前記第二の距離は、前記原稿長取得手段により取得された前記原稿の前記長さにマージンを加算した長さであり、
前記次原稿の搬送が開始された後、前記第一の搬送距離が前記第一の距離に達する前に前記原稿センサが前記第二の状態から前記第一の状態へ変化した場合に前記搬送手段による前記次原稿の搬送を中断させ、前記第一の距離は、前記原稿に設けられたパンチ穴のサイズよりも長く、複数の原稿が搬送される間隔よりも短く、
前記次原稿の前記搬送が中断された後、前記第一の搬送距離が前記第一の距離に達した場合に前記搬送手段により前記次原稿の搬送を再開させるように前記搬送手段を制御することを特徴とする画像読取装置。
【請求項１０】
画像読取装置であって、
原稿の画像を読み取る読取手段と、
原稿が載置される原稿トレイと、
前記原稿トレイに載置された前記原稿を前記読取手段が前記原稿を読み取る読取位置へ搬送する搬送手段と、
前記搬送手段により前記原稿が搬送される前に前記原稿トレイに載置された前記原稿の搬送方向における長さを取得する原稿長取得手段と、
前記原稿トレイと前記読取位置との間に設けられ、前記搬送手段により搬送されている前記原稿を検出すると第一の状態をとり、前記原稿を検出しないと第二の状態をとる原稿センサと、
前記原稿センサが前記第一の状態から前記第二の状態へ変化した時からの前記原稿の第一の搬送距離を測定する第一の距離測定手段と、
前記原稿センサが前記第一の状態から前記第二の状態へ変化する前に前記原稿センサが前記第二の状態から前記第一の状態へ変化した時からの前記原稿の第二の搬送距離を測定する第二の距離測定手段と、
前記搬送手段を制御する制御手段と、
を有し、
前記制御手段は、
前記第二の搬送距離が第二の距離に達する前に前記原稿センサが前記第一の状態から前記第二の状態へ変化し且つその後に前記第一の搬送距離が第一の距離に達したときに前記第二の搬送距離が前記第二の距離に達していない場合に前記第一の搬送距離が前記第一の距離に達したときに前記原稿センサが前記第二の状態から前記第一の状態へ変化しなければ、前記搬送手段により次原稿の搬送を開始させ、前記第二の距離は、前記原稿長取得手段により取得された前記原稿の前記長さにマージンを加算した長さであり、前記第一の距離は、前記原稿に設けられたパンチ穴のサイズよりも長く、複数の原稿が搬送される間隔よりも短く、
前記第二の搬送距離が前記第二の距離に達する前に前記原稿センサが前記第一の状態から前記第二の状態へ変化し且つその後に前記第一の搬送距離が前記第一の距離に達したときに前記第二の搬送距離が前記第二の距離に達していない場合に前記第一の搬送距離が前記第一の距離に達する前に前記原稿センサが前記第二の状態から前記第一の状態へ変化しても、前記搬送手段による前記次原稿の搬送を開始させず、その後前記原稿センサが前記第一の状態から前記第二の状態へ変化してから前記第一の搬送距離が前記第一の距離に達する前に前記第二の搬送距離が前記第二の距離に達すると、前記搬送手段により前記次原稿の搬送を開始させるように前記搬送手段を制御することを特徴とする画像読取装置。
【手続補正２】
【補正対象書類名】明細書
【補正対象項目名】０００９
【補正方法】変更
【補正の内容】
【０００９】
本発明の一実施例による画像読取装置は、
原稿の画像を読み取る読取手段と、
原稿が載置される原稿トレイと、
前記原稿トレイに載置された前記原稿を前記読取手段が前記原稿を読み取る読取位置へ搬送する搬送手段と、
前記搬送手段により前記原稿が搬送される前に前記原稿トレイに載置された前記原稿の搬送方向における長さを取得する原稿長取得手段と、
前記原稿トレイと前記読取位置との間に設けられ、前記搬送手段により搬送されている前記原稿を検出すると第一の状態をとり、前記原稿を検出しないと第二の状態をとる原稿センサと、
前記原稿センサが前記第一の状態から前記第二の状態へ変化した時からの前記原稿の第一の搬送距離を測定する第一の距離測定手段と、
前記原稿センサが前記第一の状態から前記第二の状態へ変化する前に前記原稿センサが前記第二の状態から前記第一の状態へ変化した時からの前記原稿の第二の搬送距離を測定する第二の距離測定手段と、
前記搬送手段を制御する制御手段と、
を有し、
前記制御手段は、
前前記原稿センサが前記第一の状態から前記第二の状態へ変化した後で前記第一の搬送距離が第一の距離に達する前に、前記原稿センサが前記第二の状態のまま前記第二の搬送距離が第二の距離に達した時に前記原稿トレイに次原稿が有る場合に前記搬送手段により前記次原稿の搬送を開始させ、前記第二の距離は、前記原稿長取得手段により取得された前記原稿の前記長さにマージンを加算した長さであり、前記第一の距離は、前記原稿に設けられたパンチ穴のサイズよりも長く、複数の原稿が搬送される間隔よりも短く、
前記次原稿の搬送が開始された後、前記第一の搬送距離が前記第一の距離に達する前に前記原稿センサが前記第二の状態から前記第一の状態へ変化すると前記搬送手段による前記次原稿の搬送を中断させ、その後、再び前記原稿センサが前記第一の状態から前記第二の状態へ変化した後に前記第一の搬送距離が前記第一の距離に達すると前記搬送手段により前記次原稿の搬送を再開させるように前記搬送手段を制御することを特徴とする。
【手続補正３】
【補正対象書類名】明細書
【補正対象項目名】００１０
【補正方法】変更
【補正の内容】
【００１０】
本発明の別の実施例による画像読取装置は、
原稿の画像を読み取る読取手段と、
前記原稿が載置される原稿トレイと、
前記原稿トレイに載置された前記原稿を前記読取手段が前記原稿を読み取る読取位置へ搬送する搬送手段と、
前記搬送手段により前記原稿が搬送される前に前記原稿トレイに載置された前記原稿の搬送方向における長さを取得する原稿長取得手段と、
前記原稿トレイと前記読取位置との間に設けられ、前記搬送手段により搬送されている前記原稿を検出すると第一の状態をとり、前記原稿を検出しないと第二の状態をとる第一の原稿センサと、
前記原稿トレイと前記読取位置との間で前記原稿の前記搬送方向において前記第一の原稿センサの下流に設けられ、前記搬送手段により搬送されている前記原稿を検出すると第一の状態をとり、前記原稿を検出しないと第二の状態をとる第二の原稿センサと、
前記第一の原稿センサが前記第一の状態から前記第二の状態へ変化した時からの前記原稿の第一の搬送距離を測定する第一の距離測定手段と、
前記第一の原稿センサが前記第一の状態から前記第二の状態へ変化する前に前記第二の原稿センサが前記第二の状態から前記第一の状態へ変化した時からの前記原稿の第二の搬送距離を測定する第二の距離測定手段と、
前記搬送手段を制御する制御手段と、
を有し、
前記制御手段は、
前記第一の原稿センサが前記第一の状態から前記第二の状態へ変化した後で前記第一の搬送距離が第一の距離に達する前に、前記第一の原稿センサが前記第二の状態のまま前記第二の搬送距離が第二の距離に達した時に前記原稿トレイに次原稿が有る場合に前記搬送手段により前記次原稿の搬送を開始させ、前記第二の距離は、前記原稿長取得手段により取得された前記原稿の前記長さにマージンを加算した長さであり、前記第一の距離は、前記原稿に設けられたパンチ穴のサイズよりも長く、複数の原稿が搬送される間隔よりも短く、
前記次原稿の搬送が開始された後、前記第一の搬送距離が前記第一の距離に達する前に前記第一の原稿センサが前記第二の状態から前記第一の状態へ変化すると前記搬送手段による前記次原稿の搬送を停止させ、その後、再び前記原稿センサが前記第一の状態から前記第二の状態へ変化した後に前記第一の搬送距離が前記第一の距離に達すると前記搬送手段により前記次原稿の搬送を再開させるように前記搬送手段を制御することを特徴とする。